(57)【特許請求の範囲】
【請求項１】
梁材上部の長辺側にコンクリート板が一体的に突設され、梁材からコンクリート板にかけての上面に、トラス筋が上部を突出させて配筋され、梁材の上面からはあばら筋の一部が突出され、前記コンクリート板と反対側の梁材の上部には、プレキャストコンクリート床板を設置したときに、該プレキャストコンクリート床板の上面が梁材の上面と面一になるような深さの段部が形成されたことを特徴とするプレキャストコンクリート部材。
【請求項２】
コンクリート板の先端部に突起部が設けられ、該突起部に手摺りが取り付けられたことを特徴とする請求項１に記載のプレキャストコンクリート部材。
【請求項３】
梁材とコンクリート板下面とにわたってハンチまたは方杖が設けられたことを特徴とする請求項１または２に記載のプレキャストコンクリート部材。
【請求項４】
コンクリート板が先端から梁材側にかけて漸次肉厚に形成されたことを特徴とする請求項１〜３のいずれかに記載のプレキャストコンクリート部材。
【請求項５】
梁材からコンクリート板にかけてＰＣ鋼材が埋設され、該ＰＣ鋼材によりプレストレスが付与されたことを特徴とする請求項１〜４のいずれかに記載のプレキャストコンクリート部材。
【請求項６】
梁材上部の長辺側にコンクリート板が一体的に突設され、梁材からコンクリート板にかけての上面に、上部が突出したトラス筋が配筋され、梁材の上面からはあばら筋の一部が突出され、前記コンクリート板と反対側の梁材の上部には、プレキャストコンクリート床板を設置したときに、該プレキャストコンクリート床板の上面が梁材の上面と面一になるような深さの段部が形成されたプレキャストコンクリート部材を、コンクリート板を外側に向けて、柱頭部に設置した後、前記梁材の段部にプレキャストコンクリート床板を設置し、該プレキャストコンクリート床板およびコンクリート板にトップコンクリートを打設することを特徴とするコンクリートスラブの構築方法。
【発明の詳細な説明】
【０００１】
【発明の属する技術分野】
本発明はプレキャストコンクリート部材およびこれを用いたコンクリートスラブの構築方法に関するものである。
【０００２】
【従来の技術】
従来の高架橋におけるコンクリートスラブの構築は、図９に示すように、梁２９間に薄肉プレキャストコンクリート板３０を設置するとともに、片持ち部の薄肉プレキャストコンクリート板３０をブラケット３１または支保工３２で支持して、トップコンクリート３３を打設していた。
【０００３】
【発明が解決しようとする課題】
しかし、上記の構築方法は、片持ち部の薄肉プレキャストコンクリート板をブラケットまたは支保工で支持していたため、ブラケットを撤去するための足場が必要となるばかりでなく、支保工が交通の妨げになっていた。
【０００４】
本発明はこれらの問題に鑑みてなされたものであり、その目的は、ブラケットや支保工を必要としないプレキャストコンクリート部材およびこれを用いたコンクリートスラブの構築方法を提供することである。
【０００５】
【課題を解決するための手段】
以上の課題を解決するための手段であるプレキャストコンクリート部材は、梁材上部の長辺側にコンクリート板が一体的に突設され、梁材からコンクリート板にかけての上面に、トラス筋が上部を突出させて配筋され、梁材の上面からはあばら筋の一部が突出され、前記コンクリート板と反対側の梁材の上部には、プレキャストコンクリート床板を設置したときに、該プレキャストコンクリート床板の上面が梁材の上面と面一になるような深さの段部が形成されたことを特徴とする。またコンクリート板の先端部に突起部が設けられ、該突起部に手摺りが取り付けられたことを含む。また梁材とコンクリート板下面とにわたってハンチまたは方杖が設けられたことを含む。またコンクリート板が先端から梁材側にかけて漸次肉厚に形成されたことを含む。また梁材からコンクリート板にかけてＰＣ鋼材が埋設され、該ＰＣ鋼材によりプレストレスが付与されたことを含むものである。
またコンクリートスラブの構築方法は、梁材上部の長辺側にコンクリート板が一体的に突設され、梁材からコンクリート板にかけての上面に、上部が突出したトラス筋が配筋され、梁材の上面からはあばら筋の一部が突出され、前記コンクリート板と反対側の梁材の上部には、プレキャストコンクリート床板を設置したときに、該プレキャストコンクリート床板の上面が梁材の上面と面一になるような深さの段部が形成されたプレキャストコンクリート部材を、コンクリート板を外側に向けて、柱頭部に設置した後、前記梁材の段部にプレキャストコンクリート床板を設置し、該プレキャストコンクリート床板およびコンクリート板にトップコンクリートを打設することを特徴とする。
【０００６】
梁材の設置と同時にコンクリートスラブにおける片持ち部を形成することができる。またトラス筋によりコンクリート板が支持され、かつ剛性が高まるため、運搬や荷揚げ時における損傷を防ぐことができる。上面から一部が突出したあばら筋やトラス筋により、トップコンクリートとの一体性を高めることができる。また共同住宅用におけるバルコニーを構築することができる。ＰＣ鋼材によるプレストレスにより、トップコンクリートが打設されたコンクリート板を支持することができる。ハンチによりコンクリート板が支持される。コンクリート板の梁材側が肉厚に形成されたことにより、トップコンクリートが打設されたコンクリート板が支持される。高架橋のコンクリートスラブにおける片持ち部や共同住宅におけるコンクリートスラブを支持用ブラケットや支保工を必要とせずに構築することができる。
【０００７】
【発明の実施の形態】
以下、本発明のプレキャストコンクリート部材およびこれを用いたコンクリートスラブの構築方法の実施の形態を図面に基づいて説明する。はじめにプレキャストコンクリート部材（以下ＰＣ部材という）を説明し、その後にこれを用いたコンクリートスラブの構築方法（以下スラブの構築方法という）について説明するが、各実施の形態において同じ構成は同じ符号を付して説明し、異なった構成にのみ異なった符号を付して説明する。
【０００８】
図１〜３は第１の実施の形態のＰＣ部材１を示したものである。このＰＣ部材１は、梁材２上部の長辺側にコンクリート板３が突出して形成され、該コンクリート板３から梁材２にかけて、上部が突出したトラス筋４が配筋されるとともに、梁材２の上面からはあばら筋５の上部が突出されている。またコンクリート板３と反対側の梁材２上部にはプレキャストコンクリート床板（以下ＰＣ床板という）を載置する段部６が形成されている。この段部６は、ＰＣ床板を載置したときに、その上面が梁材２上面と面一になるような深さに形成されている。前記トラス筋４は、三角形状に配置された１本の上端筋７ａと２本の下端筋７ｂとが波形のラチス筋８で接合されたものであり、コンクリート板３の剛性を高めるとともに、一部が梁材２側まで配筋されてコンクリート板３を片持ちに支持している。
【０００９】
また図４は、第２の実施の形態のＰＣ部材９を示し、梁材２からコンクリート板３にかけてＰＣ鋼棒、ＰＣ鋼撚線、ＰＣ鋼線などのＰＣ鋼材１０が適宜間隔ごとに配設され、このＰＣ鋼材１０により所定のプレストレスが付与されたものであり、これ以外は前記のＰＣ部材１と同じ構成である。
【００１０】
また図５は、第３の実施の形態のＰＣ部材１１を示し、コンクリート板３の先端の突起部１２に手摺り１３を設けたバルコニー用のＰＣ部材であり、これ以外は前記のＰＣ部材１と同じ構成である。
【００１１】
また図６は、その他の実施の形態のＰＣ部材１４、１５、１６、１７、１８、１９の概念図を示したものである。このうちの（１）および（２）のＰＣ部材１４、１５は、梁材２とコンクリート板３との間にハンチ２０、２１を設けたものである。また（３）のＰＣ部材１６は、梁材２とコンクリート板３との間に方杖２２を設けたものである。また（４）のＰＣ部材１７は、コンクリート板３が先端から梁材２側にかけて漸次肉厚に形成されたものである。また（５）のＰＣ部材１８は、コンクリート板２が先端から梁材側にかけて同じ肉厚で形成されたものである。また（６）のＰＣ部材１９は、コンクリート板３を吊り材２３で吊り上げたものである。これらのＰＣ部材１４、１５、１６、１７、１８、１９は、上記の構成を除いて前記のＰＣ部材１と同じ構成である。
【００１２】
なお、第２の実施の形態のＰＣ部材９におけるＰＣ鋼材１０は、上記のＰＣ部材１１、１４、１５、１６、１７、１８、１９にも埋設してプレストレスを付与することができる。
【００１３】
次に、上記のＰＣ部材１、１１を使用したコンクリートスラブの構築方法について説明する。図７は、ＰＣ部材１を用いた高架橋のコンクリートスラブの構築方法である。まず、ＰＣ部材１を、コンクリート板３を外側に向けて各柱２４間に架設するとともに、ＰＣ部材１の梁材２間にＰＣ床板２５を設置する。次に、このＰＣ床板２５上およびＰＣ部材１上にトップコンクリート２６を打設して、コンクリートスラブ２７を構築する。よって、片持ち部をブラケットや支保工で支持することなくコンクリートスラブ２７を構築することができる。
【００１４】
また図８は、ＰＣ部材１１を用いたコンクリートスラブの構築方法である。まず、ＰＣ部材１１を、コンクリート板３を外側に向けて各柱２４間に架設するとともに、ＰＣ部材１１の梁材２間にＰＣ床板２５を設置する。次に、このＰＣ床板２５上およびＰＣ部材１１上にトップコンクリート２６を打設して、コンクリートスラブ２８を構築する。よって、上記と同じ効果を奏することができる。
【００１５】
【発明の効果】
梁材の設置と同時にコンクリートスラブにおける片持ち部を形成することができる。
【００１６】
トラス筋によってコンクリート板が支持され、かつその剛性が高まるため、運搬や荷揚げ時における損傷を防ぐことができる。
【００１７】
上面から一部が突出したあばら筋やトラス筋により、トップコンクリートとの一体性を高めることができる。
【００１８】
共同住宅用のバルコニーを構築することができる。
【００１９】
ハンチによりコンクリート板を支持することができる。
【００２０】
コンクリート板の梁材側が肉厚に形成されたことにより、トップコンクリートが打設されたコンクリート板を支持することができる。
【００２１】
ＰＣ鋼材によるプレストレスにより、トップコンクリートが打設されたコンクリート板を支持することができる。
【００２２】
高架橋のコンクリートスラブにおける片持ち部や共同住宅におけるコンクリートスラブを、支持用ブラケットや支保工を必要とせずに構築することができる。
【図面の簡単な説明】
【図１】第１の実施の形態のＰＣ部材の斜視図である。
【図２】図１の断面図である。
【図３】図１の平面図である。
【図４】第２の実施の形態のＰＣ部材の正面図である。
【図５】第３の実施の形態のＰＣ部材の断面図である。
【図６】（１）〜（６）は他の実施の形態のＰＣ部材の概念図である。
【図７】（１）は第１の実施の形態のＰＣ部材を用いた高架橋のコンクリートスラブの構築方法の斜視図、（２）は同断面図である。
【図８】第３の実施の形態のＰＣ部材を用いたコンクリートスラブの構築方法の断面図である。
【図９】従来の高架橋のコンクリートスラブの構築方法の断面図である。
【符号の説明】
１、９、１１、１４、１５、１６、１７、１８、１９  ＰＣ部材
２  梁材
３  コンクリート板
４  トラス筋
５  あばら筋
６  段部
７ａ  上端筋
７ｂ  下端筋
８  ラチス筋
１０  ＰＣ鋼材
１２  突起部
１３  手摺り
２０、２１  ハンチ
２２  方杖
２３  吊り材
２４  柱
２５  ハーフＰＣ板
２６、３３  トップコンクリート
２７、２８  コンクリートスラブ
２９  梁
３０  薄肉ＰＣ板
３１  ブラケット
３２  支保工
【図１】
0003574631.tif 000002
【図２】
0003574631.tif 000003
【図３】
0003574631.tif 000004
【図４】
0003574631.tif 000005
【図５】
0003574631.tif 000006
【図６】
0003574631.tif 000007
【図７】
0003574631.tif 000008
【図８】
0003574631.tif 000009
【図９】
0003574631.tif 000010